(57)【要約】【課題】収集されるＧＩＳ情報の信頼性及び品質を高めることができ、ＧＩＳ情報収集に係わる作業の手間及びコストを軽減することができる技術を提供する。【解決手段】ＧＩＳ情報収集システムは、ユーザの操作に基づいてＧＩＳ情報を取得する携帯端末１０と、携帯端末１０からＧＩＳ情報を収集してＤＢ５０に格納するサーバ２０とを備える。携帯端末１０は、ＧＩＳ情報を添付ファイルとしたメールを作成し、メールの送信者の信頼性を確認するための第１情報、及び添付ファイルの信頼性を確認するための第２情報を、メール内に記述して、サーバ２０へ送信する。サーバ２０は、メールを受信し、添付ファイルであるＧＩＳ情報を取り出し、第１情報及び第２情報を解析してメールの送信者及び添付ファイルの信頼性を確認し、信頼性が確認できたメールにおけるＧＩＳ情報を、ＤＢ５０に登録する。【選択図】図１
2017117081.tif 000002
【特許請求の範囲】
【請求項１】
ＧＩＳのための空間情報を含むＧＩＳ情報を収集するＧＩＳ情報収集システムであって、
ユーザの操作に基づいて前記ＧＩＳ情報を取得する携帯端末と、
前記携帯端末から前記ＧＩＳ情報を収集してＤＢに格納するサーバ装置と、
を備え、
前記携帯端末は、前記ＧＩＳ情報を添付ファイルとしたメールを作成し、前記メールの送信者の信頼性を確認するための第１情報、及び前記添付ファイルである前記ＧＩＳ情報の信頼性を確認するための第２情報を、前記メール内に記述して、前記メールを前記サーバ装置へ向けて送信し、
前記サーバ装置は、前記メールを受信し、前記添付ファイルである前記ＧＩＳ情報を取り出し、前記第１情報を解析して前記メールの前記送信者の信頼性を確認し、前記第２情報を解析して前記添付ファイルである前記ＧＩＳ情報の信頼性を確認し、前記送信者の信頼性及び前記添付ファイルの信頼性が確認できた前記メールにおける前記ＧＩＳ情報を、前記ＤＢに登録する、
ＧＩＳ情報収集システム。
【請求項２】
請求項１記載のＧＩＳ情報収集システムにおいて、
前記携帯端末は、前記メールにおける、メールヘッダ部に、前記第１情報として、前記送信者のドメイン情報を記述し、
前記サーバ装置は、前記メールにおける、前記メールヘッダ部の前記第１情報を解析し、前記第１情報を、前記サーバ装置に事前登録されている第１情報と比較し、一致する場合には、前記送信者の信頼性が有ると判断する、
ＧＩＳ情報収集システム。
【請求項３】
請求項１記載のＧＩＳ情報収集システムにおいて、
前記携帯端末は、前記メールにおける、メールヘッダ部に、前記第１情報として、前記送信者のドメイン情報を記述し、添付ファイル部に、前記第１情報を記述し、
前記サーバ装置は、前記メールにおける、前記メールヘッダ部の前記第１情報、及び前記添付ファイル部の前記第１情報を解析し、それらの第１情報を比較し、一致する場合には、前記送信者の信頼性及び前記添付ファイルの信頼性が有ると判断する、
ＧＩＳ情報収集システム。
【請求項４】
請求項１記載のＧＩＳ情報収集システムにおいて、
前記携帯端末は、前記メールにおける、添付ファイル部に、前記第２情報を記述し、
前記サーバ装置は、前記メールにおける、前記添付ファイル部の前記第２情報を解析し、前記第２情報を、前記添付ファイル部に格納されている添付ファイルと比較し、整合性が有る場合には、前記添付ファイルの信頼性が有ると判断する、
ＧＩＳ情報収集システム。
【請求項５】
請求項１記載のＧＩＳ情報収集システムにおいて、
前記携帯端末は、前記第２情報として、前記添付ファイルのファイル名を記述し、
前記サーバ装置は、前記ファイル名を、前記添付ファイル部に格納されている前記添付ファイルのファイル名と比較し、一致または整合性が有る場合には、前記添付ファイルの信頼性が有ると判断する、
ＧＩＳ情報収集システム。
【請求項６】
請求項１記載のＧＩＳ情報収集システムにおいて、
前記携帯端末は、前記第１情報を含む事前登録メールを前記サーバ装置へ送信し、
前記サーバ装置は、前記事前登録メールを受信し、前記事前登録メールの前記第１情報を、事前登録表に事前登録し、
前記サーバ装置は、前記メールにおける前記第１情報を解析して前記メールの前記送信者の信頼性を確認する際、前記事前登録表の前記第１情報を参照する、
ＧＩＳ情報収集システム。
【請求項７】
請求項１記載のＧＩＳ情報収集システムにおいて、
前記携帯端末は、前記ＧＩＳ情報を収集する作業を支援するためのＧＵＩ画面を提供し、
前記ＧＵＩ画面は、前記ユーザの操作に基づいて、前記ＧＩＳ情報を取得して前記ＧＩＳ情報を添付ファイルとした前記メールを作成して即時に前記サーバ装置へ送信させる作業を支援する情報を含み、
前記メールの前記ＧＩＳ情報の調査日時として、前記ＧＩＳ情報の取得日時が設定される、
ＧＩＳ情報収集システム。
【請求項８】
請求項１記載のＧＩＳ情報収集システムにおいて、
前記携帯端末は、前記ＧＩＳ情報を収集する作業を支援するためのＧＵＩ画面を提供し、
前記ＧＵＩ画面は、前記ユーザの操作に基づいて、前記ＧＩＳ情報を取得して蓄積し、前記蓄積された１つ以上の前記ＧＩＳ情報をまとめて添付ファイルとした前記メールを作成して前記サーバ装置へ送信させる作業を支援する情報を含む、
前記メールの前記ＧＩＳ情報の調査日時として、前記メールの送信日時が設定される、
ＧＩＳ情報収集システム。
【請求項９】
ＧＩＳのための空間情報を含むＧＩＳ情報を収集するＧＩＳ情報収集システムにおけるＧＩＳ情報収集方法であって、
前記ＧＩＳ情報収集システムは、ユーザの操作に基づいて前記ＧＩＳ情報を取得する携帯端末と、前記携帯端末から前記ＧＩＳ情報を収集してＤＢに格納するサーバ装置と、を備え、
前記携帯端末により、前記ＧＩＳ情報を添付ファイルとしたメールを作成し、前記メールの送信者の信頼性を確認するための第１情報、及び前記添付ファイルである前記ＧＩＳ情報の信頼性を確認するための第２情報を、前記メール内に記述して、前記メールを前記サーバ装置へ向けて送信するステップと、
前記サーバ装置により、前記メールを受信し、前記添付ファイルである前記ＧＩＳ情報を取り出し、前記第１情報を解析して前記メールの前記送信者の信頼性を確認し、前記第２情報を解析して前記添付ファイルである前記ＧＩＳ情報の信頼性を確認し、前記送信者の信頼性及び前記添付ファイルの信頼性が確認できた前記メールにおける前記ＧＩＳ情報を、前記ＤＢに登録するステップと、
を有する、ＧＩＳ情報収集方法。
【発明の詳細な説明】
【技術分野】
【０００１】
本発明は、情報処理技術に関し、地理情報システム（ＧＩＳ：Geographic Information System）の空間情報を含むＧＩＳ情報を収集する技術に関する。
【背景技術】
【０００２】
ＧＩＳでは空間情報を扱う。空間情報は、調査及び観測の地点の位置情報、及びその地点で撮影した画像や動画等のデータを有する。ＧＩＳを利用するシステムであるＧＩＳ利用システムでは、データベース（ＤＢ）に空間情報を含むＧＩＳ情報が格納される。ＧＩＳ利用システムのＧＩＳソフトウェアは、ＤＢのＧＩＳ情報を使用及び処理することにより、所定のサービス、例えば画面に地図を表示する機能を提供する。
【０００３】
ＧＩＳ及びＧＩＳ利用システムのＤＢを構築及び更新するためには、情報収集者であるユーザが携帯端末等を用いて各地点の空間情報を取得及び収集し、その空間情報を含むＧＩＳ情報をＤＢに登録する必要がある。
【０００４】
ＧＩＳ情報収集に関する先行技術例としては、特開２００４−３５７２２２号公報（特許文献１）が挙げられる。特許文献１には、位置情報収集システムとして、以下の旨が記載されている。このシステムは、カメラ、ＧＰＳ機能、及び文字入力機能を備えた携帯電話により撮影された画像データ、撮影位置の位置データ、及び入力文字データを、メールサーバへ送信する手段、等を有する。
【先行技術文献】
【特許文献】
【０００５】
【特許文献１】特開２００４−３５７２２２号公報
【発明の概要】
【発明が解決しようとする課題】
【０００６】
ＧＩＳ情報収集に関する従来技術は、例えば複数の各々の情報収集者であるユーザの携帯端末から、取得したＧＩＳ情報を、電子メール（以下、メールと記載する場合がある）等により、所定の宛先のサーバ等へ送信する。そして、そのサーバ等からＧＩＳ情報をＤＢに登録する。これにより、ＤＢにＧＩＳ情報を収集可能である。
【０００７】
メールを用いる場合、ユーザは、以下のような作業が必要である。ユーザは、携帯端末で、撮影画像データ等のファイルを含むＧＩＳ情報を、添付ファイルとして添付したメール（以下、ＧＩＳ情報メールと記載する場合がある）を作成する。そして、ユーザは、携帯端末で、そのＧＩＳ情報メールを、所定の宛先のサーバ等へ送付する。
【０００８】
しかし、従来技術は、ＧＩＳ情報メールの信頼性及び品質の確保については不十分である。また、従来技術は、ＧＩＳ情報メールの作成及び送信の作業に大きな手間及びコストを要する。
【０００９】
従来技術では、既存のメールシステム上でＧＩＳ情報メールを作成及び送付する。メール自体の信頼性については、既存のメールシステムに依存しておおよそ確保されるが、一般的にはメール傍受及び添付ファイル改ざん等の可能性が存在する。また、既存のメールシステムで添付ファイル付きメールの信頼性を高めるための公知技術としては、暗号化やパスワード設定、デジタル認証、等がある。既存のメールシステムで、そのような手段を備えるものもある。
【００１０】
ＧＩＳ利用システムのＧＩＳ情報収集の用途においても、信頼性等の確保のために、上記パスワード設定等の公知技術を適用したシステムが考えられる。システムの例としては、情報収集者の携帯端末で、ＧＩＳ情報の添付ファイルにパスワードを入力設定してからＧＩＳ情報メールを送信する。受信側のサーバ等では、そのＧＩＳ情報メールの添付ファイルに対してパスワードを入力してＧＩＳ情報を得る。このような対策及びシステムにより、ＧＩＳ情報メールに関しても、ある程度信頼性等を確保できる。
【００１１】
しかし、そのようなシステムの場合でも、ＧＩＳ情報メールの伝達の経路において、メール傍受、及び添付ファイルであるＧＩＳ情報の改ざん等の可能性が存在する。従来技術では、ＧＩＳ情報メールの添付ファイルのＧＩＳ情報の信頼性等を確認する手段を備えておらず、ＧＩＳ情報が改ざん等されていたとしても、容易には分からない。ＧＩＳ情報が改ざん等されていた場合、ＤＢにＧＩＳ情報が登録できない、あるいは誤ったＧＩＳ情報が登録される、といったことになる。これにより、ＧＩＳ利用システムのＤＢのＧＩＳ情報及びそれを用いて構成される地図等の品質が低くなる。ＧＩＳ利用システムでは、高精度で充実した空間情報を含むＤＢ及びそれによる地図等を実現することが重要である。そのためには、収集されるＧＩＳ情報の信頼性及び品質を高めることが必要である。
【００１２】
また、従来技術は、情報収集者の携帯端末でＧＩＳ情報メールを作成してサーバ等へ送信する作業のために、大きな手間及びコストがかかる。例えば、上記パスワード設定等を適用したシステムの場合、ユーザは、ＧＩＳ情報メールの作成及び送信毎に、パスワード入力操作等を要するので、作業の手間及びコストが増大する。また、作業の際、添付や送信のミスを生じる場合もある。ＧＩＳ利用システムに応じて、複数の情報収集者により、多数の地点のＧＩＳ情報を、繰り返し収集する作業が必要である。その場合、特に大きな手間及びコストがかかる。
【００１３】
本発明の目的は、ＧＩＳ情報収集技術に関して、収集されるＧＩＳ情報の信頼性及び品質を高めることができ、ＧＩＳ情報収集に係わる作業の手間及びコストを軽減することができる技術を提供することである。
【課題を解決するための手段】
【００１４】
本発明のうち代表的な実施の形態は、ＧＩＳ情報収集システム及びＧＩＳ情報収集方法であって、以下に示す構成を有することを特徴とする。
【００１５】
一実施の形態のＧＩＳ情報収集システムは、ＧＩＳのための空間情報を含むＧＩＳ情報を収集するＧＩＳ情報収集システムであって、ユーザの操作に基づいて前記ＧＩＳ情報を取得する携帯端末と、前記携帯端末から前記ＧＩＳ情報を収集してＤＢに格納するサーバ装置と、を備え、前記携帯端末は、前記ＧＩＳ情報を添付ファイルとしたメールを作成し、前記メールの送信者の信頼性を確認するための第１情報、及び前記添付ファイルである前記ＧＩＳ情報の信頼性を確認するための第２情報を、前記メール内に記述して、前記メールを前記サーバ装置へ向けて送信し、前記サーバ装置は、前記メールを受信し、前記添付ファイルである前記ＧＩＳ情報を取り出し、前記第１情報を解析して前記メールの前記送信者の信頼性を確認し、前記第２情報を解析して前記添付ファイルである前記ＧＩＳ情報の信頼性を確認し、前記送信者の信頼性及び前記添付ファイルの信頼性が確認できた前記メールにおける前記ＧＩＳ情報を、前記ＤＢに登録する。
【００１６】
一実施の形態のＧＩＳ情報収集方法は、ＧＩＳ情報収集システムにおけるＧＩＳ情報収集方法であって、前記携帯端末により、前記ＧＩＳ情報を添付ファイルとしたメールを作成し、前記メールの送信者の信頼性を確認するための第１情報、及び前記添付ファイルである前記ＧＩＳ情報の信頼性を確認するための第２情報を、前記メール内に記述して、前記メールを前記サーバ装置へ向けて送信するステップと、前記サーバ装置により、前記メールを受信し、前記添付ファイルである前記ＧＩＳ情報を取り出し、前記第１情報を解析して前記メールの前記送信者の信頼性を確認し、前記第２情報を解析して前記添付ファイルである前記ＧＩＳ情報の信頼性を確認し、前記送信者の信頼性及び前記添付ファイルの信頼性が確認できた前記メールにおける前記ＧＩＳ情報を、前記ＤＢに登録するステップと、を有する。
【発明の効果】
【００１７】
本発明のうち代表的な実施の形態によれば、ＧＩＳ情報を収集する技術に関して、収集されるＧＩＳ情報の信頼性及び品質を高めることができ、ＧＩＳ情報収集に係わる作業の手間及びコストを軽減することができる。
【図面の簡単な説明】
【００１８】
【図１】本発明の実施の形態のＧＩＳ情報収集システムの構成を示す図である。
【図２】実施の形態で、送信システム１及び受信システム２におけるＧＩＳ情報収集に係わる手段の構成を示す図である。
【図３】実施の形態で、携帯端末及びＧＩＳ情報収集サーバの構成を示す図である。
【図４】実施の形態で、事前登録手段に関する構成を示す図である。
【図５】実施の形態で、ＧＩＳ情報メールのデータ構造を示す図である。
【図６】実施の形態で、受信システム側のサーバに送信されたＧＩＳ情報メールにおけるメールヘッダのデータ構成例を示す図である。
【図７】実施の形態で、ＧＩＳ情報メールのキーファイル部の構成及び具体例を示す図である。
【図８】実施の形態で、送信システム側の携帯端末でのＧＩＳ情報メール送信処理のフローを示す図である。
【図９】実施の形態で、受信システム側のサーバでのＧＩＳ情報メール受信処理のフローを示す図である。
【図１０】実施の形態で、携帯端末でのＧＩＳ情報メール作業のパターンを示す図である。
【図１１】実施の形態で、携帯端末でのＧＵＩ画面例を示す図である。
【発明を実施するための形態】
【００１９】
図１〜図１１を用いて、本発明の実施の形態のＧＩＳ情報収集システムについて説明する。実施の形態のＧＩＳ情報収集方法は、実施の形態のＧＩＳ情報収集システムで実行されるステップを含む方法である。
【００２０】
［ＧＩＳ情報収集システム］
図１は、実施の形態のＧＩＳ情報収集システムの全体の構成を示す。ＧＩＳ情報収集システムの全体は、送信システム１と、受信システム２と、ＧＩＳ利用システム３と、それらの間に介在する通信網４と、を有する。送信システム１及びそのユーザは、複数存在してもよい。
【００２１】
実施の形態のＧＩＳ情報収集システムは、ＧＩＳ利用システム３のＤＢ５０を構築及び更新するためのＧＩＳ情報を収集するシステムである。ＧＩＳ情報収集システムは、既存のメールシステム等を含む通信網４を利用し、その上でＧＩＳ情報メールを伝達させる。これにより、送信システム１側から受信システム２側へＧＩＳ情報を収集し、受信システム２からＧＩＳ利用システム３のＤＢ５０にＧＩＳ情報を登録する。
【００２２】
送信システム１は、ＧＩＳ情報メール１０３を作成及び送信するシステムである。送信システム１は、ユーザの携帯端末１０を含む。ユーザは、ＧＩＳ情報１０１を取得及び収集する情報収集者であり、ＧＩＳ情報メール１０３を送信する送信者である。ユーザは、携帯端末１０を所持しながら、ＧＩＳ情報収集に係わる作業を行う。ユーザは、携帯端末１０を用いて、各調査の地点でＧＩＳ情報１０１を取得及び収集する。ユーザは、携帯端末１０でそのＧＩＳ情報１０１を添付ファイル１０２としたメールであるＧＩＳ情報メール１０３を作成し、受信システム２のサーバ２０へ向けて送信する。
【００２３】
携帯端末１０は、ＧＩＳ情報送信端末である。携帯端末１０では、ユーザ操作に基づいて、調査の地点での空間情報を含むＧＩＳ情報１０１を取得する。携帯端末１０は、ユーザ操作に基づいて、その取得したＧＩＳ情報１０１を添付ファイル１０２として取り込んで添付したメールであるＧＩＳ情報メール１０３を作成する。携帯端末１０は、ユーザ操作に基づいて、そのＧＩＳ情報メール１０３を、受信システム２側の所定の宛先のサーバ２０へ向けて送信する。携帯端末１０から送信されたＧＩＳ情報メール１０３は、メール送信サーバ４１へ送信され、通信網４を通じて、受信システム２側のサーバ２０に送付される。
【００２４】
ＧＩＳ情報１０１のデータは、調査の地点の位置情報及び撮影画像データ等を含む、調査結果データである。
【００２５】
送信システム１の携帯端末１０は、ＧＩＳ情報メール１０３の作成及び送信の際、送信者の信頼性等を確認するための第１情報を、ＧＩＳ情報メール１０３のメールヘッダ部に記述する。第１情報は、送信者識別情報を含む。送信者識別情報としては、送信者であるユーザ及び携帯端末１０のアドレスまたはドメイン名、もしくはメール送信サーバ４１やメール中継サーバ４３に係わるドメイン名を用いる。
【００２６】
また、送信システム１の携帯端末１０は、ＧＩＳ情報メール１０３の作成及び送信の際、添付ファイルの信頼性等を確認するための第２情報を、ＧＩＳ情報メール１０３の添付ファイル部に記述する。第２情報は、言い換えると、キーファイル部に格納されるキーファイルである。
【００２７】
受信システム２は、送信システム１からＧＩＳ情報をＧＩＳ情報メールとして受信し収集するシステムである。受信システム２は、ＧＩＳ利用システム３と連携する。受信システム２は、サーバ２０、メール受信サーバ４２等を含む。メール受信サーバ４２は、通信網４を通じて、メール中継サーバ４３等からＧＩＳ情報メールを含むメールを受信する。なお、メール受信サーバ４２は、通信網４内に存在してもよい。メール受信サーバ４２は、ＰＯＰ等のプロトコルに従い処理を行う。
【００２８】
サーバ２０は、ＧＩＳ情報収集サーバである。サーバ２０は、メール受信サーバ４２を通じて、携帯端末１０からのＧＩＳ情報メール２０３を受信する。サーバ２０は、受信したＧＩＳ情報メール２０３を処理し、添付ファイル２０２のＧＩＳ情報２０１を取り出す。サーバ２０は、ＧＩＳ情報メール２０３を解析して、ＧＩＳ情報メールの信頼性等を確認する。サーバ２０は、確認後、添付ファイル２０２のＧＩＳ情報２０１のデータを、サーバ２０に接続されているＧＩＳ利用システム３のＤＢ５０に登録する。
【００２９】
なお、受信システム２の図示しない管理者等のユーザを有する。そのユーザは、ＧＩＳ情報メールの受信者、及びＧＩＳ情報の収集者である。そのユーザは、サーバ２０を管理し、サーバ２０に対するユーザ設定等が可能である。そのユーザは、端末からサーバ２０にアクセスし、サーバ２０から提供される画面をみながら、ＧＩＳ情報の受信、収集及び登録に係わる作業を行うことができる。
【００３０】
サーバ２０は、ＧＩＳ情報メール２０３の解析の際、メールヘッダ部の第１情報、及び添付ファイル部の第２情報、等を解析する。サーバ２０は、メールヘッダ部の第１情報の解析の際、その第１情報を、受信システム２側に事前登録されている第１情報と比較する。サーバ２０は、それらの第１情報の一致により、ＧＩＳ情報メールの送信者の信頼性等を確認する。サーバ２０は、添付ファイル部の第２情報の解析の際、その第２情報を、添付ファイル内容と比較する。これにより、サーバ２０は、添付ファイルの信頼性等を確認する。
【００３１】
ＧＩＳ利用システム３は、ＧＩＳを利用するシステムであり、例えば地図表示システムである。ＧＩＳ利用システム３は、サーバ３０、ＤＢ５０を有する。サーバ３０は、ＧＩＳ利用サーバであり、ＧＩＳソフトウェア部３１を備える。ＤＢ５０は、収集されるＧＩＳ情報３０１を集約的に格納して管理するためのデータベースである。ＤＢ５０は、サーバ３０により管理されている。ＤＢ５０は、サーバ３０からみると地図ＤＢである。ＤＢ５０は、ＤＢサーバ等で実現されてもよい。ＤＢ５０は、受信システム２内に存在してもよい。ＧＩＳ利用システム３と受信システム２とが１つに統合されたシステムでもよい。
【００３２】
サーバ３０のＧＩＳソフトウェア部３１は、地図表示機能等を実現する処理を行う。ＧＩＳソフトウェア部３１は、ＤＢ５０からＧＩＳ情報３０１を読み出し、読み出したＧＩＳ情報３０１を用いて、地図を構成し、その地図を含む画面を、ＧＩＳ利用システム３の図示しないサービス利用者の端末等に対して提供する。サーバ３０のサービスの例として、提供される地図は、２次元地図上の地点毎に３次元内容の画像を提供するものである。ＧＩＳ利用システム３及びサービスについては、特に限定されない。なお、サーバ３０は、図示しない管理者等のユーザにより管理される。そのユーザは、サーバ３０に対するユーザ設定、ＤＢ５０のＧＩＳ情報３０１の管理や編集の作業、等を行うことができる。
【００３３】
通信網４は、無線通信網、インターネット、及びＩＳＰ（インターネットサービスプロバイダ）等を含み、電子メール等の通信を可能とするシステムである。通信網４は、メール送信サーバ４１、メール中継サーバ４３等を含む。メール送信サーバ４１は、携帯端末１０からのメールを受信し、そのメールのヘッダで示す宛先等に応じて、そのメールをメール中継サーバ４３等へ向けて送信する。メール送信サーバ４１は、ＳＭＴＰ等のプロトコルに従い処理を行う。なお、メール送信サーバ４１は、送信システム１内に存在してもよい。メール中継サーバ４３は、メール送信サーバ４１や他のメール中継サーバ４３からメールを受信し、そのメールのヘッダで示す宛先等に応じて、そのメールを他のメール中継サーバ４３やメール受信サーバ４２等へ向けて送信する。
【００３４】
［ＧＩＳ情報収集手段］
図２は、図１の実施の形態のＧＩＳ情報収集システムに備えているＧＩＳ情報収集に係わる手段の構成を示す。ＧＩＳ情報収集システムは、ＧＩＳ情報メールを用いたＧＩＳ情報収集に関して、第１手段であるＧＩＳ情報メール信頼性確認手段６１、第２手段であるＧＩＳ情報メール作業支援手段６２、事前登録手段６３、等を備える。
【００３５】
第１手段であるＧＩＳ情報メール信頼性確認手段６１は、ＧＩＳ情報メールの添付ファイルのＧＩＳ情報の信頼性等を確認する手段である。第１手段は、ＧＩＳ情報メールの送信者であるユーザ及び携帯端末１０を確認して、送信者の信頼性及び正当性等を確保する。加えて、第１手段は、ＧＩＳ情報メールの添付ファイルのＧＩＳ情報を確認し、そのＧＩＳ情報の信頼性及び正当性等を確保する。第１手段は、ＧＩＳ情報メールの添付ファイルのＧＩＳ情報が、収集の途中の経路で改ざん等されていないか等を確認する。
【００３６】
送信システム２の携帯端末１０は、第１手段に関して、送信者識別情報記述手段７１、及びキーファイル記述手段７２を備える。携帯端末１０は、ＧＩＳ情報メールの作成及び送信の際、送信者識別情報記述手段７１により、ＧＩＳ情報メールのメールヘッダ部に、送信者識別情報を記述する。送信者識別情報は、ＧＩＳ情報メールの送信者の信頼性等を確認するための第１情報であり、アドレスまたはドメイン名等である。
【００３７】
また、携帯端末１０は、ＧＩＳ情報メールの作成及び送信の際、キーファイル記述手段７２により、ＧＩＳ情報メールの添付ファイル部に、特有の情報として、キーファイル部を設ける。携帯端末１０は、キーファイル部に、キーファイルを格納する。キーファイルは、添付ファイルであるＧＩＳ情報の信頼性等を確認するための第２情報である。この第２情報は、後述するが、送信者識別情報とデータ関連情報とを含む。
【００３８】
受信システム２のサーバ２０は、第１手段に関して、送信者識別情報解析手段８１、及びキーファイル解析手段８２を備える。
【００３９】
サーバ２０は、受信したＧＩＳ情報メールの解析の際、送信者識別情報解析手段８１により、ＧＩＳ情報メールのメールヘッダ部に記述されている第１情報である送信者識別情報を解析して、送信者の信頼性等を確認する。サーバ２０は、その送信者識別情報が、事前登録されている送信者識別情報と一致する場合、信頼性等が有ると判断する。これにより、正当で信頼できる送信者からのＧＩＳ情報メールであることを確認できる。
【００４０】
また、サーバ２０は、受信したＧＩＳ情報メールの解析の際、キーファイル解析手段８２により、添付ファイルのキーファイル部の第２情報を解析して、添付ファイルのＧＩＳ情報の信頼性等を確認する。サーバ２０は、添付ファイル部のキーファイル部に記述されている第２情報と、関連ファイル部に格納されている添付ファイル内容であるＧＩＳ情報とを比較し、整合性を確認する。整合性が有る場合、その添付ファイルであるＧＩＳ情報のデータは信頼性及び正当性が有ると判断できる。
【００４１】
また、サーバ２０は、受信したＧＩＳ情報メールの解析の際、送信者識別情報解析手段８１及びキーファイル解析手段８２により、メールヘッダ部内の送信者識別情報と、キーファイル部内の送信者識別情報との整合性を確認する。両者の情報が一致し、整合性が有る場合、添付ファイルの信頼性及び正当性等が有ると判断できる。整合性が無い場合、添付ファイル改ざん等の可能性があると判断できる。送信者及び添付ファイルの信頼性等が確認できない結果の場合、サーバ２０は、そのＧＩＳ情報をＤＢ５０には登録しない。
【００４２】
受信システム２は、上記解析の結果、第１手段によりＧＩＳ情報メールの信頼性等を確認した後のＧＩＳ情報を、ＤＢ５０に登録する。これにより、実施の形態では、従来技術よりも、収集されＤＢ５０に登録されるＧＩＳ情報の信頼性及び品質を高める。
【００４３】
第２手段であるＧＩＳ情報メール作業支援手段６２は、第１手段に関連して、携帯端末１０及びサーバ２０でのＧＩＳ情報メールに係わる作業を支援する手段である。
【００４４】
送信システム１は、第２手段に関して、ユーザの携帯端末１０でのＧＩＳ情報メールの作成及び送信等の作業を支援する手段を有する。この手段として、ＧＵＩ画面提供手段７３、ＧＩＳ情報メール自動作成手段７４を有する。この手段により、ユーザが携帯端末１０でＧＩＳ情報メールを作成及び送信する作業の手間を軽減し、添付や送信等のミスも軽減及び防止する。
【００４５】
ＧＵＩ画面提供手段７３は、携帯端末１０のユーザに対し、ＧＩＳ情報メールの作成及び送信の作業を支援するためのＧＵＩ画面を提供する。このＧＵＩ画面については後述する。
【００４６】
ＧＩＳ情報メール自動作成手段７４は、上記ＧＵＩ画面でのユーザ操作に基づいて、携帯端末１０で取得されたＧＩＳ情報を添付ファイルとしたＧＩＳ情報メールを作成する処理を行う。ＧＩＳ情報メール自動作成手段７４は、ＧＩＳ情報メールの作成及び送信に係わる作業の大部分を、自動的な処理として実現する。
【００４７】
受信システム２は、第２手段に関して、サーバ２０でのＧＩＳ情報メールの受信及び登録等の作業を支援する手段を有する。この手段として、ＧＵＩ画面提供手段８３、ＧＩＳ情報自動登録手段８４を有する。この手段により、管理者等がサーバ２０でＧＩＳ情報メールを受信し、ＧＩＳ情報をＤＢ５０に登録する作業の手間を軽減する。
【００４８】
ＧＵＩ画面提供手段８３は、サーバ２０の管理者に対し、ＧＩＳ情報メールの受信及びＧＩＳ情報の登録の作業を支援するためのＧＵＩ画面を提供する。
【００４９】
ＧＩＳ情報自動登録手段８４は、上記ＧＵＩ画面での管理者の設定等に基づいて、サーバ２０で受信したＧＩＳ情報メールの添付ファイルのＧＩＳ情報のデータをＧＩＳ利用システム３のＤＢ５０に登録する処理を行う。ＧＩＳ情報自動登録手段８４は、ＧＩＳ情報メールの受信及びＧＩＳ情報の登録に係わる作業の大部分を、自動的な処理として実現する。
【００５０】
事前登録手段６３は、第１手段に関連して、予め、送信者識別情報を含む情報を、送信システム１側から受信システム２側に対して事前登録する手段である。送信システム１の携帯端末１０は、事前登録手段６３に関して、送信者識別情報事前登録手段７５を備える。受信システム２のサーバ２０は、事前登録手段６３に関して、送信者識別情報事前登録手段８５を備える。携帯端末１０の送信者識別情報事前登録手段７５は、送信者識別情報を含む事前登録用のメールを作成し、サーバ２０へ向けて送信する。サーバ２０の送信者識別情報事前登録手段８５は、携帯端末１０からの事前登録用のメールを受信及び処理し、その送信者識別情報を、サーバ２０内に事前登録する。
【００５１】
［携帯端末及びＧＩＳ情報収集サーバ］
図３は、携帯端末１０及びサーバ２０の機能ブロック構成を示す。携帯端末１０は、公知のスマートフォンやタブレット端末等が適用可能である。携帯端末１０は、ＣＰＵ、ＲＯＭ、ＲＡＭ、入力ボタン、表示部、通信インタフェース、等のハードウェアを含む。携帯端末１０は、ハードウェア及びソフトウェアプログラム処理により、制御処理を実現し、ＧＵＩ画面提供部１１等の構成要素を実現する。
【００５２】
携帯端末１０は、ＧＵＩ画面提供部１１、送信者識別情報事前登録部１２、ＧＩＳ情報取得部１３、ＧＩＳ情報メール作成部１４、ＧＩＳ情報メール送信部１５、を有する。
【００５３】
ＧＵＩ画面提供部１１は、ＧＵＩ画面提供手段７３に対応し、ＧＩＳ情報メールの作成及び送信を含む作業を支援するＧＵＩ画面をユーザに提供する処理を行う。また、ＧＵＩ画面提供部１１は、ＧＵＩ画面でのユーザ設定を可能とする処理を行う。
【００５４】
送信者識別情報事前登録部１２は、送信者識別情報事前登録手段７５に対応し、送信者識別情報を含む事前登録用のメールを作成し、サーバ２０へ向けて送信する処理を行う。
【００５５】
ＧＩＳ情報取得部１３は、ＧＰＳ測位部１３Ａ、カメラ部１３Ｂ、文字入力部１３Ｃを含む。ＧＰＳ測位部１３Ａは、測位機能を実現する。ＧＰＳ測位部１３Ａは、ＧＰＳ等の測位システムの衛星から電波を受信して、携帯端末１０自身の位置を測定する。ＧＰＳ測位による位置情報は、緯度、経度、高度等を含む座標等の情報である。測位機能による位置情報は、ＧＩＳ情報の一部として含まれる。
【００５６】
カメラ部１３Ｂは、撮影機能を実現する。カメラ部１３Ｂは、携帯端末１０の地点における外部の画像や動画等を撮影し、撮影画像データ等として取得する。撮影画像データは、ＧＩＳ情報１０１の一部として含まれる。
【００５７】
文字入力部１３Ｃは、ユーザ入力操作に基づいて、ＧＩＳ情報の一部とするための任意の文字情報を入力する処理を行う。入力された文字情報は、ＧＩＳ情報１０１の一部として含まれる。
【００５８】
ＧＩＳ情報メール作成部１４及びＧＩＳ情報メール送信部１５は、公知のメールクライアントソフトウェアを基本として、その上に特有のプログラムを追加する形で実現される。このプログラムは、ＧＩＳ情報メールの作成や送信の作業を支援する処理を実現する。
【００５９】
ＧＩＳ情報メール作成部１４は、ＧＩＳ情報メール自動作成手段７４に対応し、図１のようにＧＩＳ情報１０１を添付ファイル１０２としたＧＩＳ情報メール１０３を作成する処理を行う。ＧＩＳ情報メール作成部１４は、ヘッダ作成部１４Ａ、本文作成部１４Ｂ、添付ファイル作成部１４Ｃを含む。ヘッダ作成部１４Ａは、ＧＩＳ情報メールのメールヘッダ部を作成する。ヘッダ作成部１４Ａは、送信者識別情報記述手段７１に対応する。本文作成部１４Ｂは、ＧＩＳ情報メールのメール本文部を作成する。添付ファイル作成部１４Ｃは、ＧＩＳ情報メールの添付ファイル部を作成する。添付ファイル作成部１４Ｃは、キーファイル記述手段７２に対応する。
【００６０】
ＧＩＳ情報メール送信部１５は、ＧＩＳ情報メールを、所定の宛先のサーバ２０へ向けて送信する処理を行う。
【００６１】
サーバ２０は、公知のサーバ装置等が適用可能である。サーバ２０は、ＣＰＵ、ＲＯＭ、ＲＡＭ、入出力インタフェース、通信インタフェース、等のハードウェアを含む。サーバ２０は、ハードウェア及びソフトウェアプログラム処理により、制御処理を実現し、ＧＵＩ画面提供部２１等の構成要素を実現する。
【００６２】
サーバ２０は、ＧＵＩ画面提供部２１、送信者識別情報事前登録部２２、ＧＩＳ情報メール受信部２３、ＧＩＳ情報メール解析部２３、ＧＩＳ情報登録部２４、事前登録表２６を有する。
【００６３】
ＧＵＩ画面提供部２１は、ＧＵＩ画面提供手段８３に対応し、ＧＩＳ情報メールの受信及び登録を含む作業を支援するＧＵＩ画面を受信システム２側の管理者等のユーザに提供する処理を行う。また、ＧＵＩ画面提供部２１は、ＧＵＩ画面でのユーザ設定を可能とする処理を行う。
【００６４】
送信者識別情報事前登録部２２は、送信者識別情報事前登録手段８５に対応し、送信者識別情報を含む事前登録用のメールを受信し、その送信者識別情報を、事前登録表２６に事前登録する処理を行う。サーバ２０は、事前登録表２６をメモリ等に記憶及び管理している。
【００６５】
ＧＩＳ情報メール送信部２３は、携帯端末１０からのＧＩＳ情報メールを受信する処理を行う。
【００６６】
ＧＩＳ情報メール解析部２４は、ＧＩＳ情報メールを解析し、ＧＩＳ情報メールの信頼性及び正当性等を確認及びチェックする処理を行う。ＧＩＳ情報メール解析部２４は、ヘッダ解析部２４Ａ、添付ファイル解析部２４Ｂを含む。ＧＩＳ情報メール解析部２４は、解析の際には、事前登録表２６を参照しながら処理を行う。
【００６７】
ヘッダ解析部２４Ａは、ＧＩＳ情報メールのメールヘッダ部を解析し、第１情報である送信者識別情報等を解析し、送信者の信頼性及び正当性等を確認する。ヘッダ解析部２４Ａは、送信者識別情報解析手段８１に対応する。添付ファイル解析部２４Ｂは、ＧＩＳ情報メールの添付ファイル部を解析し、キーファイル部の第２情報を解析し、添付ファイルの信頼性及び正当性等を確認する。添付ファイル解析部２４Ｂは、キーファイル解析手段８２に対応する。
【００６８】
ＧＩＳ情報登録部２５は、ＧＩＳ情報自動登録手段８４に対応する。ＧＩＳ情報登録部２５は、ＧＩＳ情報メール解析部２４により解析後のＧＩＳ情報メールを参照し、信頼性等が確認できたＧＩＳ情報メールの添付ファイルのＧＩＳ情報のデータを、ＧＩＳ利用システム３のＤＢ５０に登録する処理を行う。
【００６９】
［事前登録］
実施の形態のＧＩＳ情報収集システムでは、送信システム１側でＧＩＳ情報メール内に記述する第１情報である送信者識別情報を用いて、受信システム２側で、第１情報の解析により、ＧＰＳ情報メールの送信者の信頼性及び正当性等を確認する。そのため、受信システム２のサーバ２０では、予め正しい送信者識別情報を把握及び保持している必要がある。このため、ＧＩＳ情報収集システムは、図２の事前登録手段６３を備えている。
【００７０】
図４は、ＧＩＳ情報収集システムにおいて、事前登録手段６３を用いて送信システム１側から受信システム２側に送信者識別情報を事前登録する手続きについて示す。図３では、送信システム１側の携帯端末１０と、受信システム２側のサーバ２０とを示す。携帯端末１０の送信者識別情報事前登録部１２と、サーバ２０内の送信者識別情報事前登録部２２とにおいて、メール通信で連携して、事前登録処理を行う。各ユーザは、ＧＩＳ情報収集の前に、正当な送信者となるために、この事前登録を行う。なお、この事前登録の手続きは、各種の手段が適用可能であり、図４では一例を示す。
【００７１】
図４で、事前登録の手続きとして、ステップS401〜S406を有する。以下、ステップの順に説明する。
【００７２】
（S401）  送信者であるユーザは、携帯端末１０で、事前登録用のメールである事前登録メールを作成する。送信者識別情報事前登録部１２は、ユーザ操作に基づいて、送信者識別情報を含む事前登録メールを作成する。この際、携帯端末１０は、メールクライアントで参照可能であるメール環境情報として設定されているメールアドレス及びドメイン情報等を参照する。送信者識別情報事前登録部１２は、その情報を用いて、第１情報である送信者識別情報を含む事前登録情報を構成する。実施の形態では、メールアドレス及びドメイン名を、送信者識別情報として用いる。送信者識別情報事前登録部１２は、事前登録メール内に、例えばメールヘッダ部に、所定の形式で、その送信者識別情報を含む事前登録情報を記述する。事前登録メールの宛先としては、サーバ２０に対応するメールアドレスが記述される。
【００７３】
（S402）  携帯端末１０は、事前登録メールを、サーバ２０へ向けて送信する。事前登録メールは、メール送信サーバ、メール中継サーバ４３を通じて、メール受信サーバ４２へ伝達される。
【００７４】
（S403）  サーバ２０は、メール受信サーバ４２を通じて、携帯端末１０からの事前登録メールを受信する。
【００７５】
（S404）  サーバ２０の送信者識別情報事前登録部２２は、事前登録メールに対する所定の処理を行う。送信者識別情報事前登録部２２は、事前登録メール内に記述されている第１情報である送信者識別情報を含む事前登録情報を取り出す。送信者識別情報事前登録部２２は、その事前登録情報を、事前登録表２６に登録する。
【００７６】
（S405）  サーバ２０は、事前登録後、事前登録完了通知メールを、事前登録メールの送信元の携帯端末１０へ向けて送信する。
【００７７】
（S406）  ユーザの携帯端末１０は、サーバ２０からの事前登録完了通知メールを受信する。ユーザは、そのメールから、事前登録の完了を認識できる。送信者識別情報事前登録部１２は、事前登録された送信者識別情報を、携帯端末１０内のメモリ等に保持する。
【００７８】
なお、事前登録する送信者識別情報としては、上記に限らず、送信者となるユーザ及び携帯端末１０のメールアドレスのみとしてもよいし、送信者を識別可能な情報であれば適用可能である。また、メール送信サーバ４１等のドメイン内では、複数のメールサービスが行われている場合がある。この場合、送信者であるユーザの携帯端末１０のメールアドレスのドメインと、メール送信サーバ４１のドメインとが異なる場合がある。この場合、送信者識別情報として、メールアドレスのドメイン情報と共に、メール送信サーバ４１のドメイン情報を含めるようにする。これにより、その送信者識別情報を、受信システム２側での解析の際、信頼性が高いサーバを利用しているかのチェックに使用可能である。
【００７９】
なお、実施の形態では、ＧＩＳ情報収集作業を行う、ＧＩＳ情報メールの送信者となるユーザは、所定の事業者の社員であり、その事業者の社内で予め本人確認済みであり、そのユーザの住所、氏名、電話番号、メールアドレス等の基本情報が登録済みである。そのため、上記事前登録の手続きの際には、事前登録しようとしているユーザ及び携帯端末１０の信頼性については、事前登録メールの送信元メールアドレス等から十分に確認可能である。そのため、上記事前登録の際に、本人確認のための認証等を行うことは不要である。変形例としては、受信システム２側で、管理者等により、事前登録メールのユーザについて、本人確認のための認証等を行ってもよい。
【００８０】
また、上記事前登録は、送信システム１と受信システム２との間で事前登録メールを用いて実現する例であるが、これに限らず、変形例として、事前登録メールを用いずに、サーバ２０を持つ事業者の社内で、ユーザと管理者との間で直接的に事前登録の手続きを行ってもよい。
【００８１】
［ＧＩＳ情報メール］
図５は、ＧＩＳ情報収集システムで扱われるＧＩＳ情報メールのデータ構成を示す。ＧＩＳ情報メール５００は、メールヘッダ部５０１、メール本文部５０２、添付ファイル部５０３を有する。添付ファイル部５０３は、更に、キーファイル部５０４と、関連ファイル部５０５とを有する。関連ファイル部５０５は、添付ファイル本体部である。
【００８２】
メールヘッダ部５０１は、送信元メールアドレスや宛先メールアドレス等が記述される。メール本文部５０２は、規定の書式に基づいて、メール本文が記述される。携帯端末１０は、基本的なメール本文を自動的に作成する。ユーザは、必要に応じて、そのメール本文の編集、例えばユーザ入力によりテキストの追加や修正ができる。
【００８３】
キーファイル部５０４は、実施の形態で特有の第２情報が記述される。実施の形態では、添付ファイル部５０３の最初の領域に、所定の形式でキーファイル部５０４が設けられている。キーファイル部５０４に１つのキーファイルが格納される。受信側のサーバ２０では、解析の際、この添付ファイル部５０３の最初の領域をキーファイル部５０４として読み取る。キーファイル部５０４としての読み取りができない場合、キーファイル部５０４の情報が記述されていないメールであると判断できる。
【００８４】
キーファイル部５０４の記述情報である第２情報は、受信側のサーバ２０での解析の際に、添付ファイルであるＧＩＳ情報の信頼性等を確認するために用いられる。キーファイル部５０４の第２情報は、受信したＧＩＳ情報メールの添付ファイルであるＧＩＳ情報が、送信者自身により作成及び送信された正当で信頼性が高いものであることを確認可能とする情報である。
【００８５】
関連ファイル部５０５は、送信者であるユーザの携帯端末１０で取得及び作成されたＧＩＳ情報を構成する１つ以上のデータファイルが、添付ファイルである関連データファイルとして格納される。
【００８６】
［メールヘッダ部］
図６は、図５のＧＩＳ情報メールに基づいて、受信システム２のサーバ２０に送信されたＧＩＳ情報メールにおけるメールヘッダ部のデータ構成例を示す。このメールヘッダ部は、ヘッダ情報Ｈ１〜Ｈ５を有する。ヘッダ情報Ｈ１〜Ｈ４は、当該メールの送信元のメール送信サーバ４１や中継を行ったメール中継サーバ４３に関するドメイン情報を示している。例えば、下線付きで示すテキスト部分はドメイン名を示す。図示省略するが、ドメイン名は括弧（[……]）内のＩＰアドレスと関係付けられている。
【００８７】
ヘッダ情報Ｈ５は、実施の形態の送信者識別情報記述手段７１により記述された情報である送信者識別情報を含んでいる。この送信者識別情報は、送信者であるユーザにより事前登録されたドメイン情報を含んでいる。ヘッダ情報Ｈ５は、From箇所のドメイン名６０１と、To箇所のドメイン名６０２を含む。ドメイン名６０１は、送信者識別情報であり、サーバ２０側に事前登録済みである。ドメイン名６０２は、ＧＩＳ情報メールの送信先である受信システム２側のドメイン名を示す。
【００８８】
なお、ドメイン名は、ＩＰネットワークにおいて個々のコンピュータを識別するための名称の一部であり、通常、ＩＰアドレスとそれに関係付けられるドメイン名とのセットでネットワーク上に登録される。ＤＮＳにより、ドメイン名を含むホスト名と、ＩＰアドレスとの変換が実行される。
【００８９】
［キーファイル部］
図７の（Ａ）は、図５のＧＩＳ情報メール５００の添付ファイル部５０３のキーファイル部５０４の構成を示す。このキーファイル部は、項目として、順に、（ａ）送信者識別情報７０１、（ｂ）ファイル名７０２、（ｃ）位置情報７０３、（ｄ）調査日時７０４、（ｅ）属性７０５を有する。各項目の文字サイズ等の形式は予め規定されている。
【００９０】
実施の形態では、キーファイル部の記述情報である第２情報として、少なくとも、（ａ）送信者識別情報７０１及び（ｂ）ファイル名７０２を必須項目として含む。実施の形態では、データ関連情報として、（ｂ）〜（ｅ）を含む。データ関連情報は、添付ファイルであるＧＩＳ情報に特有の内容及び特徴を表す情報である。データ関連情報は、受信システム２側での解析時に、添付ファイルの信頼性等の確認、比較判断に役立つ数値やワード等の情報である。サーバ２０は、解析の際に、データ関連情報を参照することにより、添付ファイルの信頼性及び正当性等を確認可能である。
【００９１】
送信者識別情報７０１は、事前登録されているドメイン情報が記述される。送信者識別情報７０１は、メールヘッダ部に記述される送信者識別情報と同じ値が記述される。
【００９２】
ファイル名７０２は、添付ファイルであるＧＩＳ情報を構成する関連データファイルについての、拡張子を含むファイル名が記述される。関連データファイルは、撮影画像データ等の画像ファイルや動画ファイルがある。
【００９３】
位置情報７０３は、添付ファイルのＧＩＳ情報内に含まれる位置情報と同じ値が記述される。この位置情報は、調査の地点であるＧＩＳ情報の取得地点に対応したＧＰＳ測位による緯度及び経度等を含む位置情報である。
【００９４】
調査日時７０４は、添付ファイルのＧＩＳ情報の調査日時として設定された日時情報が記述される。この調査日時は、後述するがＧＩＳ情報取得日時またはＧＰＳ情報メール送信日時等に関連付けられた日時である。この調査日時は、ＧＩＳ情報をＤＢ５０に登録する際に用いる日時である。
【００９５】
属性７０５は、添付ファイルのＧＩＳ情報の特徴に係わる属性情報が記述される。この属性情報は、例えば任意のキーワードが設定可能である。このキーワードは、添付ファイルの関連データファイル内に含まれているワードを用いることができる。なお、属性７０５等の項目値は記述省略可能である。
【００９６】
携帯端末１０のキーファイル記述手段７２は、ＧＩＳ情報メールの添付ファイル部のキーファイル部に、これらの情報を記述する。サーバ２０のキーファイル解析手段８２は、ＧＩＳ情報メールの添付ファイル部のキーファイル部に記述されているこれらの情報を解析する。
【００９７】
図７の（Ｂ）は、図７の（Ａ）のキーファイル部の記述情報の具体例を示す。本例では、送信者識別情報７０１として“xxxx.xxxx.domainD.com”が記述されている。ファイル名７０２として、“aaa.jpg”，“bbb.mpg”が記述されている。位置情報７０３として、緯度及び経度である“38.26475155, 137.324851462,”が記述されている。調査日時７０４として“2015/11/1”が記述されている。属性７０５として、属性a1，属性a2が記述されている。
【００９８】
なお、キーファイル部の構成は、図５及び図７に限らず可能である。変形例として、ＧＩＳ情報メールのメールヘッダ部内にキーファイル部の第２情報が記述される構成でもよい。また、キーファイル部の先頭位置に、解析の際の識別のためのフラグ等が記述されてもよい。
【００９９】
従来のメールや、添付ファイル改ざん等されたメールの場合には、上記キーファイル部の情報が正しく記述されていない。よって、そのメールの場合には、受信側では、ＧＩＳ情報メールとしての信頼性等を確認できない。適切なＧＩＳ情報メールの場合、上記キーファイル部の情報が正しく記述されているので、信頼性等が確認できる。
【０１００】
なお、サーバ２０は、ＧＩＳ利用システム３のＤＢ５０にＧＩＳ情報を登録する際に、キーファイル部の情報を参照して登録処理を行うこともできる。例えば、サーバ２０は、キーファイル部のうちの調査日時を用いて、ＤＢ５０に登録するＧＩＳ情報｛位置情報、画像等｝に、調査日時の情報を付与してもよい。また、サーバ２０は、その調査日時の情報に従って、複数のＧＩＳ情報を分類してＤＢ５０に登録してもよい。即ち、キーファイル部の情報を用いて、サーバ２０からＤＢ５０にＧＩＳ情報を登録する処理について支援可能である。
【０１０１】
［ＧＩＳ情報メール作成及び送信処理］
図８は、送信システム１の携帯端末１０でのＧＩＳ情報メール作成及び送信処理のフローを示す。図８でステップＳ１１〜Ｓ１７を有する。以下、ステップの順に説明する。
【０１０２】
（Ｓ１１）  ＧＩＳ情報メールの送信者であるユーザは、携帯端末１０を操作し、第１情報である送信者識別情報を取得する。携帯端末１０は、携帯端末１０内に保持されている事前登録済みの送信者識別情報であるドメイン情報を読み出す。
【０１０３】
（Ｓ１２）  携帯端末１０は、ＧＩＳ情報メールにおける添付ファイルとするＧＩＳ情報を確認する。携帯端末１０は、携帯端末１０内に取得済みのＧＩＳ情報を構成する位置情報や撮影画像データ等のデータファイルを参照する。なお、実施の形態では、全てのＧＰＳ情報メールは、ＧＩＳ情報を添付ファイルとする形である。
【０１０４】
（Ｓ１３）  携帯端末１０は、キーファイル部に記述するためのデータ関連情報を取得する。携帯端末１０は、添付ファイルとなるＧＩＳ情報の関連データファイルのファイル名の情報を取得する。また、携帯端末１０は、そのＧＩＳ情報における位置情報、調査日時、属性、等の情報を取得する。
【０１０５】
（Ｓ１４）  携帯端末１０は、Ｓ１１で取得した送信者識別情報を用いて、ＧＩＳ情報メールのメールヘッダ部に、送信者識別情報を含む情報を記述して、メールヘッダ部を作成する。メールヘッダ部における送信元メールアドレスには、送信者識別情報に対応するメールアドレスが記述され、宛先メールアドレスは、サーバ２０に対応するメールアドレスが記述される。
【０１０６】
（Ｓ１５）  携帯端末１０は、Ｓ１１で取得した送信者識別情報、及びＳ１３で取得したデータ関連情報を用いて、ＧＩＳ情報メールの添付ファイル部のキーファイル部に、図７のような各情報を記述して、キーファイル部を作成する。言い換えると、携帯端末１０は、それらの各情報を含むキーファイルを構成し、そのキーファイルを、添付ファイルの１つとして、添付ファイル部の最初の領域であるキーファイル部に添付する。
【０１０７】
（Ｓ１６）  携帯端末１０は、ＧＩＳ情報メールの添付ファイル部の関連ファイル部５０５に、添付ファイルであるＧＩＳ情報を構成する撮影画像データ等のデータファイルを格納する。これにより、ＧＩＳ情報メールが作成される。
【０１０８】
（Ｓ１７）  携帯端末１０は、上記作成したＧＩＳ情報メールを送信する。このＧＩＳ情報メールは、メール送信サーバ４１へ送信され、メール中継サーバ４３、メール受信サーバ４２を通じて、サーバ２０へ伝達される。
【０１０９】
［ＧＩＳ情報メール受信、解析、登録処理］
図９は、受信システム２のサーバ２０でのＧＩＳ情報メール受信、解析、登録処理のフローを示す。図９でステップＳ２１〜Ｓ２８を有する。以下、ステップの順に説明する。
【０１１０】
（Ｓ２１）  サーバ２０は、メール受信サーバ４２から、メール受信サーバ４２のスプールに格納されている自分宛てのメールを受信する。サーバ２０は、受信メールのうち、ＧＩＳ情報メールを参照する。
【０１１１】
（Ｓ２２）  サーバ２０は、ＧＩＳ情報メールのメールヘッダ部の記述情報である第２情報の解析処理を行うことにより、ＧＩＳ情報メールの送信者の信頼性及び正当性等を確認、チェックする。サーバ２０は、この解析処理では、メールヘッダ部の送信者識別情報等と、サーバ２０の事前登録表２８に事前登録済みの送信者識別情報等に基づいて、送信者の信頼性等を確認する。サーバ２０は、メールヘッダ部の送信者識別情報を、事前登録表２８の送信者識別情報と比較して、該当するものがあるかをチェックする。サーバ２０は、例えば図６のようなメールヘッダ部のヘッダ情報Ｈ４，Ｈ５に記述されている送信者識別情報であるドメイン名を、事前登録済みの送信者識別情報であるドメイン名と比較する。
【０１１２】
また、サーバ２０は、メールヘッダ部に記述されている他のドメイン情報についても、チェックを行う。他のドメイン情報は、メール送信サーバ４１のドメイン、メール中継サーバ４２のドメインがある。
【０１１３】
また、サーバ２０は、メールヘッダ部に記述されている複数のドメイン情報について、整合性をチェックする。例えば、サーバ２０は、図６のヘッダ情報Ｈ４のドメインと、ヘッダ情報Ｈ５のドメインとについて、整合性をチェックする。
【０１１４】
更に、Ｓ２２で以下のような処理を行ってもよい。サーバ２０は、メールヘッダ部内のヘッダ情報（例えばＨ４，Ｈ５）に記述されているドメイン情報が、事前登録されているドメイン情報に一致しない場合、例外構成リストを参照して情報を探す。サーバ２０は、予め例外構成リストを保持している。例外構成リストには、メール送信サーバ４１やメール中継サーバ４２に関する識別情報が登録されている。サーバ２０は、例外構成リスト内のドメイン情報に該当するものがある場合には、信頼性が有ると判断する。サーバ２０は、例外構成リスト内にも該当情報が無い場合には、信頼性が無いと判断する。サーバ２０は、そのＧＩＳ情報メールについては、不正なサーバを使用した成りすまし等とみなす。
【０１１５】
なお、更に、サーバ２０は、メールヘッダ部の記述情報から、受信メールの経路を解析し、メールヘッダ部の情報の改ざんの痕跡が無いかどうかをチェックしてもよい。あるいは、サーバ２０は、信頼性が低いサーバを経由していないかチェックしてもよい。
【０１１６】
（Ｓ２３）  サーバ２０は、上記Ｓ２２の送信者識別情報の解析及びチェックの結果、メールヘッダ部の送信者識別情報等に関して、信頼性及び正当性等の有無を判断する。サーバ２０は、メールヘッダ部の送信者識別情報に該当するものが事前登録表２８に有る場合には、送信者の信頼性等が有ると判断し、無い場合には、送信者の信頼性等が無いと判断する。無い場合、送信者を特定できず、正当で信頼性が高い送信者であることを確認できない。送信者の信頼性等が有りと判断した場合（Ｓ２３−Ｙ）にはＳ２５へ進み、無いと判断した場合（Ｓ２３−Ｎ）にはＳ２４へ進む。
【０１１７】
（Ｓ２４）  サーバ２０は、送信者の信頼性等が確認できないので、受信したＧＩＳ情報メールを破棄もしくは隔離等する。即ち、そのＧＩＳ情報メールの添付ファイルであるＧＩＳ情報は、ＤＢ５０へ登録されない。
【０１１８】
（Ｓ２５）  次に、サーバ２０は、ＧＩＳ情報メールの添付ファイル部の解析処理を行うことにより、添付ファイルであるＧＩＳ情報についての信頼性及び正当性等を確認及びチェックする。サーバ２０は、添付ファイル部のキーファイル部の記述情報である第２情報を解析する。この解析処理は、以下のような処理を含む。
【０１１９】
（ａ）  サーバ２０は、ＧＩＳ情報メールの添付ファイル部のキーファイル部の存在有無を確認する。サーバ２０は、所定の領域からキーファイル部の情報が読み取れる場合、即ちキーファイル部の情報が有る場合には、以降の処理を行う。サーバ２０は、読み取れない場合、即ちキーファイル部の情報が無い場合には、信頼性等が無いと判断し、以降の処理を行わない。
【０１２０】
（ｂ）  サーバ２０は、キーファイル部の第２情報と、関連ファイル部の関連データファイルとの比較照合に基づいて、添付ファイルの信頼性等を確認する。サーバ２０は、キーファイル部のデータ関連情報を用いて、関連ファイル部のデータファイル内容との整合性をチェックする。サーバ２０は、キーファイル部のデータ関連情報のうちのファイル名と、関連ファイル部に格納されているデータファイルのファイル名とを比較する。サーバ２０は、両者の値の一致により整合する場合、その添付ファイルについて信頼性等が有ると判断する。サーバ２０は、不一致により整合しない場合、その添付ファイルについて信頼性等が無いと判断する。
【０１２１】
また、サーバ２０は、データ関連情報のファイル名が、所定の規則に合うかを判断してもよい。サーバ２０は、規則に合わない場合、その添付ファイルについて信頼性等が無いと判断する。例えば、サーバ２０は、ファイル名の拡張子が、規定の拡張子に該当するか判断する。例えば、ＧＩＳ利用システム３に応じて撮影画像データの形式が予め規定されており、それに合わせて、拡張子を含むファイル名の規則が予め設定されている。例えば、規定の拡張子として、“.jpg”や“.mpg”が設定されている。サーバ２０は、ファイル名の拡張子が規定の拡張子に該当しない場合、その添付ファイルの改ざん等の可能性が有り、信頼性が無いと判断する。これらにより、添付ファイルのデータ構造の整合性を確認可能であり、サーバ２０からＤＢ５０に登録するＧＩＳ情報のデータの一貫性を保つことができる。
【０１２２】
また、サーバ２０は、データ関連情報の属性のキーワードに一致するワードが、添付ファイル内に含まれている場合には、信頼性が高いと判断でき、含まれていない場合には、信頼性が低いと判断できる。
【０１２３】
（ｃ）  サーバ２０は、キーファイル部の記述情報とメールヘッダ部の記述情報との比較照合で整合性を確認する。即ち、サーバ２０は、受信したＧＩＳ情報メールの添付ファイルが、正当で信頼性ある送信者から送信され、途中の経路で改ざん等されていない正当で信頼性が高いデータであること、を確認する。
【０１２４】
ＧＩＳ情報メールの送信者は、送信者識別情報等を受信システム２側に事前登録済みである。送信者の携帯端末１０は、メールヘッダ部内に送信者識別情報を記述し、キーファイル部内に送信者識別情報を記述している。
【０１２５】
サーバ２０は、キーファイル部の送信者識別情報と、メールヘッダ部の送信者識別情報とが一致している場合、その添付ファイルについて信頼性及び正当性等が有ると判断する。図６のメールヘッダ部の例では、ヘッダ情報Ｈ５のFrom箇所のドメイン名６０１と、ヘッダ情報Ｈ４のドメイン名６０３との比較で、一致により、信頼性等が確認できる。
【０１２６】
なお、上記整合性のチェックを省略する形態としてもよい。ただしその場合、成りすましがないかを完全には判断できない場合がある。上記整合性のチェックを行う場合、成りすましがないかを判断できる。よって、その場合、ＧＩＳ情報メールの信頼性及び正当性の確認の精度を上げることができる。
【０１２７】
（ｄ）  変形例として、サーバ２０は、以下の処理を行ってもよい。サーバ２０は、上記処理ではドメイン情報の一致により判断しているが、それよりも緩和された条件で判断してもよい。サーバ２０は、緩和された条件として、例えば事業者の社内サーバ等のドメイン情報を含むリストを、予め保持する。サーバ２０は、キーファイル部のドメイン情報に該当するものが、そのリスト内にある場合には、信頼性等が有ると判断する。
【０１２８】
（Ｓ２６）  サーバ２０は、Ｓ２５の添付ファイルの解析及びチェックの結果、添付ファイルのＧＩＳ情報の信頼性及び正当性等の有無を判断する。添付ファイルの信頼性等が有ると判断した場合（Ｓ２６−Ｙ）にはＳ２８へ進み、無いと判断した場合（Ｓ２６−Ｎ）にはＳ２７へ進む。
【０１２９】
（Ｓ２７）  サーバ２０は、ＧＩＳ情報メールの添付ファイルの信頼性等が確認できないので、そのＧＩＳ情報メールを破棄もしくは隔離等する。
【０１３０】
（Ｓ２８）  サーバ２０は、ＧＩＳ情報メールの添付ファイルの信頼性等が確認できたので、そのＧＩＳ情報メールの添付ファイルであるＧＩＳ情報のデータを、ＧＩＳ利用システム３のＤＢ５０に登録する。
【０１３１】
［ＧＩＳ情報メール作業］
図１０は、携帯端末１０でのＧＩＳ情報メールの作成及び送信の作業及び日時に関するパターンを示し、特にＧＩＳ情報取得日時とＧＩＳ情報メール送信日時との関係について示す。図１０の（Ａ）は、第１パターンとして、ＧＩＳ情報取得日時毎にＧＩＳ情報メールを作成及び送信する作業の場合を示す。図１０の（Ｂ）は、第２パターンとして、ＧＩＳ情報取得日時ではなく、任意時点、例えば調査期間の最終日時に、ＧＩＳ情報メールを作成及び送信する作業の場合を示す。
【０１３２】
図１０の（Ａ）で、横軸は日時の流れを示し、ある調査期間の例を示す。ある情報収集者であるユーザが、所定の調査期間において、ＧＩＳ情報を取得及び収集する作業を行う場合を示す。調査期間は、点検期間ともいい、ＧＩＳ情報収集期間に相当する。調査期間として、１日目からｎ日目までがあるとする。本例では、１日目において、ユーザは、携帯端末１０で、ＧＩＳ情報ｇ１を取得し、そのＧＩＳ情報ｇ１を添付ファイルとしたＧＩＳ情報メールｍ１を作成し、送信している。２日目では、ユーザは、ＧＩＳ情報を取得してらず、ＧＩＳ情報メールも送信していない。３日目では、携帯端末１０で、ＧＩＳ情報ｇ３を取得し、そのＧＩＳ情報ｇ３を添付ファイルとしたＧＩＳ情報メールｍ３を作成し、送信している。同様に、ｎ日目まで、適宜、ＧＩＳ情報の取得やメールの送信が行われている。
【０１３３】
図１０の（Ｂ）で、同様に、あるユーザが、所定の調査期間において、ＧＩＳ情報を取得及び収集する作業を行う場合を示す。本例では、１日目において、ユーザは、携帯端末１０で、ＧＩＳ情報ｇ１を取得し、そのＧＩＳ情報ｇ１を携帯端末１０内に保持し、ＧＩＳ情報メールｍ１の作成及び送信は行わない。２日目では、ユーザは、ＧＩＳ情報を取得していない。３日目では、携帯端末１０で、ＧＩＳ情報ｇ３を取得し、そのＧＩＳ情報ｇ３を携帯端末１０内に保持する。同様に、ｎ日目まで、適宜、ＧＩＳ情報の取得が行われている。そして、ユーザは、調査期間の最終日時であるｎ日目に、それまでに蓄積したＧＩＳ情報ｇ１〜ｇｎを、まとめて添付ファイルとしたＧＩＳ情報メールｍｘを作成し、送信する。
【０１３４】
第１パターンの場合、ＤＢ５０に登録するためのＧＩＳ情報の調査日時としては、各ＧＩＳ情報の取得日時とすることができる。第２パターンの場合、ＤＢ５０に登録するためのＧＩＳ情報の調査日時としては、例えば調査期間の最終日時であるＧＩＳ情報メール送信日時とすることができる。第２パターンの場合、調査期間内で取得された複数のＧＩＳ情報は、同じ調査日時を持つ関連するデータとして登録される。
【０１３５】
上記第１パターン及び第２パターンは、ユーザが携帯端末１０の操作やユーザ設定に従って選択使用可能である。携帯端末１０は、ＧＩＳ情報メール作業支援手段６２に関して、上記各パターンの作業を支援する機能を有する。
【０１３６】
第１パターンの場合、取得ＧＩＳ情報毎にＧＩＳ情報メールを送信するので、第２パターンよりも、ＤＢ５０に登録されるＧＩＳ情報の調査日時をより詳しい日時とすることができる。第２パターンの場合、取得ＧＩＳ情報毎にＧＩＳ情報メールを送信する必要は無いので、第１パターンよりも、作業量を減らすことができる。ユーザは、作業に応じてパターンを使い分け可能である。上記支援により、ＧＩＳ情報収集作業の効率化を図れる。
【０１３７】
［ＧＵＩ画面］
図１１は、携帯端末１０のＧＵＩ画面の構成例を示す。ＧＵＩ画面提供手段７３に対応したＧＵＩ画面提供部１１は、このようなＧＵＩ画面を提供する。本例では、携帯端末１０は、図１０の作業のパターンに対応するモードに応じたＧＵＩ画面を提供する。ユーザは、予め及び任意時点で、携帯端末１０のユーザ設定機能を用いて、パターンに対応するモードを選択して設定可能である。作業及び処理のモードとして、第１パターンに対応する第１モードを「即時送信モード」とし、第２パターンに対応する第２モードを「蓄積送信モード」とする。
【０１３８】
図１１の画面は、欄１１１、欄１１２、欄１１３を含む。欄１１１は、第１モードに対応した欄であり、欄１１２は、第２モードに対応した欄であり、欄１１３は、ユーザ設定に対応した欄である。
【０１３９】
欄１１１では、第１モード「即時送信モード」における作業を支援するためのＧＵＩ情報を表示する。即ち、欄１１１では、ユーザがＧＩＳ情報を取得してその内容を確認してその内容でＧＩＳ情報メールを作成して即時に送信するという作業を支援する。
【０１４０】
欄１１１は、ＧＩＳ情報を取得する取得ボタンと、取得したＧＩＳ情報の内容である位置情報や撮影画像を確認する項目と、調査日時であるＧＩＳ情報取得日時を確認する項目と、ＧＩＳ情報メールを作成及び送信する送信ボタンと、を含む。
【０１４１】
第１モードでは、以下のような動作及び処理が行われる。ユーザは、欄１１１で、取得ボタンの押下に基づいて、ＧＩＳ情報である位置情報や撮影画像データ等を取得する。携帯端末１０は、現在の地点で測位して位置情報を取得し、画像を撮影してその画像ファイル等を取得し、その取得内容を、確認用の項目に表示する。また、携帯端末１０は、調査日時の項目に、ＧＩＳ情報取得日時を表示する。ユーザは、その確認用の項目で、取得されたＧＩＳ情報の内容を確認し、例えば撮影画像が適切か等を確認する。ユーザは、必要に応じて、ＧＩＳ情報の内容の編集、キャンセルや取得のやり直し等を行う。ユーザは、ＧＩＳ情報の確認後、送信ボタン押下に基づいて、そのＧＩＳ情報を添付ファイルとしたＧＩＳ情報メールを作成させる。携帯端末１０は、取得ＧＩＳ情報を用いて、ＧＩＳ情報メールを自動的に作成する。携帯端末１０は、そのＧＩＳ情報メールを、即時に、所定の宛先のサーバ２０へ向けて送信する。このＧＩＳ情報メールのＧＩＳ情報の調査日時としては、ＧＩＳ情報取得日が自動的に設定される。ＧＩＳ情報取得日とＧＩＳ情報メール送信日とが同じである。
【０１４２】
なお、上記取得ＧＩＳ情報内容を確認する手順及び機能を省略した形態としてもよい。その形態では、基本的に１ボタン操作でＧＩＳ情報メール送信が可能である。
【０１４３】
欄１１２では、第２モード「蓄積送信モード」における作業を支援するためのＧＵＩ情報を表示する。即ち、欄１１２では、ユーザがＧＩＳ情報を取得して一旦蓄積しておき、任意日時に、蓄積ＧＩＳ情報をまとめて添付ファイルとしたＧＩＳ情報メールを作成して送信するという作業を支援する。
【０１４４】
欄１１２は、ＧＩＳ情報を取得する取得ボタンと、取得して蓄積されたＧＩＳ情報の内容である位置情報や撮影画像を確認する項目と、調査日時であるＧＩＳ情報メール送信日時を確認及び設定可能とする項目と、ＧＩＳ情報メールを作成及び送信する送信ボタンと、を含む。
【０１４５】
第２モードでは、以下のような動作及び処理が行われる。ユーザは、欄１１２で、取得ボタンの押下に基づいて、ＧＩＳ情報である位置情報や撮影画像データ等を取得する。携帯端末１０は、取得内容を、メモリ等に保存し、蓄積及び確認用の項目に表示する。ユーザは、その項目で、蓄積されたＧＩＳ情報の内容を確認する。ユーザは、任意日時、例えば調査期間の最終日に、携帯端末１０で、蓄積されているＧＩＳ情報をまとめてＧＩＳ情報メールとして送信する。その際、ユーザは、欄１１２内の項目で、蓄積ＧＩＳ情報の確認後、送信ボタン押下に基づいて、蓄積ＧＩＳ情報をまとめて添付ファイルとしたＧＩＳ情報メールを作成させる。携帯端末１０は、蓄積ＧＩＳ情報を用いて、ＧＩＳ情報メールを自動的に作成する。携帯端末１０は、そのＧＩＳ情報メールを、所定の宛先のサーバ２０へ向けて送信する。このＧＩＳ情報メールのＧＩＳ情報の調査日時としては、ＧＩＳ情報メール送信日時が自動的に設定される。また、欄１１２内の調査日時の項目では、デフォルトでは現在日時がＧＩＳ情報メール送信日時として表示される。ユーザは、その項目で、入力によって自分で任意に調査日時（例えば調査期間のうちの一日）を設定することもできる。
【０１４６】
なお、蓄積ＧＩＳ情報の添付ファイルは、複数のＧＩＳ情報を１つにまとめた添付ファイルとしてもよいし、複数の各々のＧＩＳ情報毎に分けた複数の添付ファイルとしてもよい。また、このＧＩＳ情報メールは、通信経路におけるメールデータ容量制限に問題が無い範囲で、複数のＧＩＳ情報を１つにまとめたＧＩＳ情報メールとして作成される。添付ファイルのサイズに制限がある場合には、携帯端末１０は、その制限サイズに収まるサイズを持つ添付ファイルとなるように、ＧＩＳ情報メールを作成する。
【０１４７】
欄１１３は、上記モードに関するユーザ設定を可能とする欄である。この欄１１３では、第１モードと第２モードとからユーザが選択して設定可能である。この欄１１３で設定されたモードに応じて、自動的に欄１１１または欄１１２が表示される。
【０１４８】
［効果等］
以上説明したように、実施の形態のＧＩＳ情報収集システムによれば、収集されるＧＩＳ情報の信頼性及び品質を高めることができ、ＧＩＳ情報収集に係わる作業の手間及びコストを軽減することができる。
【０１４９】
実施の形態のＧＩＳ情報収集システムでは、送信システム１側では、ＧＩＳ情報メール内に、第１情報である送信者識別情報や、第２情報であるキーファイルを記述する。受信システム２側では、受信したＧＩＳ情報メールの第１情報や第２情報を解析する。これにより、実施の形態のＧＩＳ情報収集システムでは、ＧＩＳ情報メールの送信者及び添付ファイルを含む信頼性及び正当性等を確認する。これにより、実施の形態では、ＧＩＳ利用システム３のＤＢ５０に登録されるＧＩＳ情報の信頼性及び品質を確保または向上できる。
【０１５０】
特に、実施の形態のＧＩＳ情報収集システムでは、情報収集者のユーザは、ＧＩＳ情報の取得及び送付毎のパスワード入力操作等は不要であり、従来よりも手間が軽減される。また、実施の形態のＧＩＳ情報収集システムでは、別途パスワード設定やデジタル認証等のシステムを具備することが不要であり、比較的低コストで実現できる。
【０１５１】
実施の形態の変形例として、以下も可能である。上記実施の形態では、ＧＩＳ情報メールにおける添付ファイル部の一部としてキーファイル部（第２情報）を設けた構成である。それに対し、変形例では、メールヘッダ部の一部としてキーファイルを設けた構成としてもよいし、メール本文の一部としてキーファイルを設けた構成としてもよい。
【０１５２】
以上、本発明を実施の形態に基づき具体的に説明したが、本発明は前記実施の形態に限定されず、その要旨を逸脱しない範囲で種々変更可能である。
【符号の説明】
【０１５３】
１…送信システム、２…受信システム、３…ＧＩＳ利用システム、４…通信網、１０…携帯端末、２０…サーバ、３０…サーバ、３１…ＧＩＳソフトウェア部、４１…メール送信サーバ、４２…メール受信サーバ、４３…メール中継サーバ、５０…ＤＢ、１０１，２０１，３０１…ＧＩＳ情報、１０２，２０２…添付ファイル、１０３，２０３…ＧＩＳ情報メール。
【図１】
2017117081.tif 000003
【図２】
2017117081.tif 000004
【図３】
2017117081.tif 000005
【図４】
2017117081.tif 000006
【図５】
2017117081.tif 000007
【図６】
2017117081.tif 000008
【図７】
2017117081.tif 000009
【図８】
2017117081.tif 000010
【図９】
2017117081.tif 000011
【図１０】
2017117081.tif 000012
【図１１】
2017117081.tif 000013